【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】  光源として少なくとも１つのＬＥＤを備えた照明ユニットであって、前記のＬＥＤは光学スペクトル領域の３７０〜４３０ｎｍの範囲内の一次放射線を発光し（ピーク波長）、ＬＥＤの一次放射線に曝され、青色、緑色及び赤色のスペクトル領域で発光する３種の蛍光体によって前記の放射線は部分的に又は完全により長波長の放射線に変換されて、白色光を生じる照明ユニットにおいて、前記の変換が少なくとも、４４０〜４８５ｎｍの波長の最大値で青色に発光する蛍光体、及び５０５〜５５０ｎｍの波長の最大値で緑色に発光する蛍光体、及び５６０〜６７０ｎｍの波長の最大値で赤色に発光する蛍光体を用いて達成され、その際、これらの３種の蛍光体の少なくとも１つが第１表、第２表又は第３表の蛍光体からなることを特徴とする、光源として少なくとも１つのＬＥＤを備えた照明ユニット。
【請求項２】  ＬＥＤが、それぞれ３つの表からなる３種の蛍光体の使用下で白色放射線を発光する、請求項１記載の照明ユニット。
【請求項３】  一次放射源としてＧａ（Ｉｎ，Ａｌ）ＮをベースとするＬＥＤを使用する、請求項１記載の照明ユニット。
【請求項４】  青色蛍光体：
Ｍ5（ＰＯ4）3（Ｘ）：Ｅｕ2+
［式中、Ｍは金属Ｂａ、Ｃａの少なくとも１つだけを表すか又はＳｒと組み合わされたものを表し、ＸはハロゲンＦ又はＣｌの少なくとも１つを表す］；
又は青色蛍光体：
Ｍ*3ＭｇＳｉ2Ｏ8：Ｅｕ2+
［式中、Ｍ*は金属Ｂａ、Ｃａ、Ｓｒの少なくとも１つだけか又はその組み合わせたものを表す］
又は青色蛍光体：  ＺｎＳ：Ａｇ又は
Ｍ**ＭｇＡｌ10Ｏ17：Ｅｕ2+
［式中、Ｍ**は金属Ｅｕ、Ｓｒの少なくとも１つだけを表すか又はＢａと組み合わされたものを表す］の使用下で白色光を生じる、請求項１記載の照明ユニット。
【請求項５】  緑色蛍光体：
ＳｒＡｌ2Ｏ4：Ｅｕ2+
又は緑色蛍光体：
Ｂａ0.82Ａｌ12Ｏ18.82：Ｅｕ2+，Ｍｎ2+
又は緑色蛍光体：
Ｃａ8Ｍｇ（ＳｉＯ4）4Ｃｌ2：Ｅｕ2+，Ｍｎ2+
又は緑色蛍光体：
Ｓｒ4Ａｌ14Ｏ25：Ｅｕ
又は緑色蛍光体：
ＺｎＳ：Ｃｕ，Ａｌ又はＢａＭｇＡｌ10Ｏ17：（Ｃｅ3+，Ｔｂ3+と組み合わせた、又はＭｎ2+と組み合わせたＥｕ2+）の使用下で白色光を生じる、請求項１記載の照明ユニット。
【請求項６】  赤色蛍光体：
Ｌｎ2Ｏ2ＳＳｔ：Ａｋ3+
［式中、Ｌｎは金属Ｇｄ、Ｌａ、Ｌｕの少なくとも１つだけを表すか又はＹと組み合わされたものを表し；Ｓｔは元素Ｓｅ、Ｔｅの少なくとも１つを表し；ＡｋはＥｕだけか又はＢｉと組み合わせたものを表す］
又は赤色蛍光体：
ＺｎＳ：Ｃｕ，Ｍｎ又はＳｒ2Ｐ2Ｏ7：Ａｋ2+
［式中、Ａｋは金属Ｅｕ，Ｍｎの少なくとも１つを表す］の使用下で白色光を生じる、請求項１記載の照明ユニット。
【請求項７】  白色光を生じさせるために、一次発光した放射線は３７０〜４２０ｎｍの波長領域にあり、青色蛍光体Ｍ5（ＰＯ4）3（Ｘ）：Ｅｕ2+［式中、Ｍは金属Ｂａ、Ｃａの少なくとも１つだけを表すか又はＳｒと組み合わされたものを表し、ＸはハロゲンＦ又はＣｌの少なくとも１つを表す］；又は蛍光体Ｍ**ＭｇＡｌ10Ｏ17：Ｅｕ2+［式中、Ｍ**は金属Ｅｕ、Ｓｒの少なくとも１つだけを表すか又はＢａと組み合わされたものを表す］を使用する、請求項１記載の照明ユニット。
【請求項８】  白色光を生じさせるために、一次発光した放射線は３８０ｎｍを下回る波長領域にあり、青色蛍光体
Ｍ*3ＭｇＳｉ2Ｏ8：Ｅｕ2+［式中、Ｍは金属Ｂａ、Ｃａ、Ｓｒの少なくとも１つだけを表すか又は組み合わされたものを表す］を使用する、請求項１記載の照明ユニット。
【請求項９】  白色光を生じさせるために、一次発光した放射線は３７０〜４２０ｎｍの波長領域にあり、緑色蛍光体
ＳｒＡｌ2Ｏ4：Ｅｕ2+
又は緑色蛍光体
Ｃａ8Ｍｇ（ＳｉＯ4）4Ｃｌ2：Ｅｕ2+，Ｍｎ2+
又は緑色蛍光体
Ｓｒ4Ａｌ14Ｏ25：Ｅｕ
又は緑色蛍光体
ＢａＭｇＡｌ10Ｏ17：（Ｃｅ3+，Ｔｂ3+と組み合わせた、又はＭｎ2+と組み合わせたＥｕ2+）を使用する、請求項１記載の照明ユニット。
【請求項１０】  白色光を生じさせるために、一次発光した放射線は３９０ｎｍを下回る波長領域にあり、緑色蛍光体
Ｂａ0.82Ａｌ12Ｏ18.82：（Ｅｕ2+，Ｍｎ2+）を使用する、請求項１記載の照明ユニット。
【請求項１１】  白色光を生じさせるために、一次発光した放射線は３８０ｎｍを下回る波長領域にあり、赤色蛍光体
Ｌｎ2Ｏ2Ｓｔ：Ａｋ3+
［式中、Ｌｎは金属Ｇｄ、Ｌａ、Ｌｕの少なくとも１つだけを表すか、又はＹと組み合わされたものを表し、Ｓｔは元素Ｓ、Ｓｅ、Ｔｅの少なくとも１つを表し、ＡｋはＥｕだけを表すか又はＢｉと組み合わされたものを表す］
又は赤色蛍光体
Ｓｒ2Ｐ2Ｏ7：Ａｋ2+
［式中、Ａｋは金属Ｅｕ、Ｍｎの少なくとも１つを表す］を使用する、請求項１記載の照明ユニット。
【請求項１２】  白色光を生じさせるために、一次発光した放射線は３７０〜４００ｎｍの波長領域にあり、赤色蛍光体
ＭＭｇＳｉ2Ｏ8：Ｅｕ，Ｍｎ
［式中、Ｍは金属Ｂａ、Ｃａ、Ｓｒの少なくとも１つを表す］を使用する、請求項１記載の照明ユニット。
【請求項１３】  照明ユニットが、発光変換−ＬＥＤであり、その際、蛍光体はチップと直接的又は間接的に接触している、請求項１記載の照明ユニット。
【請求項１４】  照明ユニットが、ＬＥＤのフィールド（アレイ）である、請求項１記載の照明ユニット。
【請求項１５】  蛍光体の少なくとも１種が、ＬＥＤの前方に取り付けられた光学装置上に設けられている、請求項９記載の照明ユニット。
【請求項１６】  白色光を生じさせるために、一次発光した放射線は３７０〜４１０ｎｍの波長領域にあり、青色蛍光体ＺｎＳ：Ａｇを使用する、請求項１記載の照明ユニット。
【請求項１７】  白色光を生じさせるために、一次発光した放射線は３７０〜４１０ｎｍの波長領域にあり、緑色蛍光体ＺｎＳ：Ｃｕ，Ａｌ［式中、Ｃｕ及びＡｌは一緒に使用される］を使用する、請求項１記載の照明ユニット。
【請求項１８】  白色光を生じさせるために、一次発光した放射線は３７０〜４１０ｎｍの波長領域にあり、赤色蛍光体ＺｎＳ：Ｃｕ，Ｍｎ［式中、Ｃｕ及びＭｎは一緒に使用される］を使用する、請求項１記載の照明ユニット。
【請求項１９】  白色光を生じさせるために、一次発光した放射線は３７０〜４１０ｎｍの波長領域にあり、請求項１６、１７及び１８記載の青色、緑色及び赤色蛍光体を一緒に使用する、請求項１記載の照明ユニット。
【請求項２０】  白色光を生じさせるために、緑色に発光する蛍光体は（Ｓｒ，Ｂａ）2ＳｉＯ4：Ｅｕである、請求項１記載の照明ユニット。
【請求項２１】  白色光を生じさせるために、緑色に発光する蛍光体はＳｒＢａＳｉＯ4：Ｅｕである、請求項２０記載の照明ユニット。
【請求項２２】  光源として少なくとも１つのＬＥＤを備え、前記ＬＥＤは可視領域又は白色領域で放射する波長変換型ＬＥＤであり、前記ＬＥＤは短波長で近ＵＶ又は青色に一次放射する照明ユニットにおいて、（Ｓｒ，Ｂａ）2ＳｉＯ4：Ｅｕ2+が、緑色領域での二次発光のために使用されていることを特徴とする、照明ユニット。
【請求項２３】  白色光を生じさせるために、付加的に青色蛍光体を使用する、請求項２２記載の照明ユニット。
【手続補正２】
【補正対象書類名】明細書
【補正対象項目名】００３４
【補正方法】変更
【補正の内容】
【００３４】
【表１】
2004505470.tif 000001
【手続補正３】
【補正対象書類名】明細書
【補正対象項目名】００３５
【補正方法】変更
【補正の内容】
【００３５】
蛍光体番号１４の（Ｓｒ，Ｂａ）2ＳｉＯ4：Ｅｕ2+は緑色領域で広帯域であり、この場合には別個の赤色成分は使用されない。
【手続補正４】
【補正対象書類名】図面
【補正対象項目名】図７
【補正方法】変更
【補正の内容】
【図７】
2004505470.tif 000002